(57)【要約】【課題】誰でも簡単に着脱できる連タイプのネックレス用止め金具を提供すること。【解決手段】真珠などの多数の飾り部材２を連ねた連タイプのネックレス１の一方の端部に接続したネックレスの止め金具６において、上記止め金具は、支点１１を中心に回動自在にした一対の回動部材７，８と、これら両回動部材間に設けたスプリングとを備え、上記両回動部材の一端には円弧状部９，１０を設け、上記スプリングのバネ力の作用で、両円弧状部の先端部分が接触した状態においてそれら両円弧状部が相まってリングを構成するとともに、これらいずれか一方の回動部材を、ネックレスに直接または間接に連結してなる構成にした。【選択図】　図２
2004113705.tif 000002
【特許請求の範囲】
【請求項１】
真珠などの多数の飾り部材を連ねた連タイプのネックレスにおける一方の端部に接続したネックレスの止め金具において、上記止め金具は、支点を中心に回動自在にした一対の回動部材と、これら両回動部材間に設けたスプリングとを備え、上記両回動部材の一端には円弧状部を設け、上記スプリングのバネ力の作用で、両円弧状部の先端部分が接触した状態においてそれら両円弧状部が相まってリングを構成するとともに、これらいずれか一方の回動部材を、ネックレスに直接または間接に連結してなるネックレスの止め金具。
【請求項２】
いずれか一方の回動部材に設けた円弧状部の円弧長さを、他方の回動部材に設けた円弧状部の円弧長さよりも長くし、これら円弧状部が接触したとき、その接触部が両円弧状部の折半位置からずれる構成にした請求項１に記載のネックレスの止め金具。
【請求項３】
いずれか一方の回動部材に設けた円弧状部の先端部分の内周側に突起部を設けた請求項１または２に記載のネックレスの止め金具。
【発明の詳細な説明】
【０００１】
【発明の属する技術分野】
この発明は、真珠や宝玉を多数連ねて形成される連タイプのネックレスを輪にするための止め金具に関する。
【０００２】
【従来の技術】
ネックレスを輪にするための止め金具として、特開２０００−２７０９１３号にかかわる発明が従来から知られている。この従来から知られている止め金具は、例えば、細いチューブからなるリングの中に、そのチューブと曲率半径を同じにした円弧状のスライド棒を組み込む。そして、このスライド棒には、つまみ用突部を設け、この突部をつまんでスライド棒をスライドさせることによって、上記リングに設けた切欠き部を開閉させる。
【０００３】
なお、上記スライド棒には、リングのチューブ内に組み込んだスプリングのバネ力を作用させ、通常は、このバネ力によって、スライド棒が上記切欠き部を閉じた状態を保つようにしている。したがって、スライド棒をスライドさせるには、突部をつまんで、それを上記バネ力に抗する方向に移動させなければならない。
【０００４】
そして、上記従来のネックレスにおいては、リングの切欠き部を開いたら、そこからネックレスの連を作るワイヤーを入れて、当該リングを真珠等の飾り部材間に挟み込む。したがって、当該リングをどこの飾り部材間に挟み込むかによって、ネックレスの輪の大きさを調整できる。
【０００５】
【特許文献１】
特開２０００−２７０９１３号公報（図４）
【０００６】
【発明が解決しようとする課題】
上記のようにした従来の止め金具では、それが目立たないようにするために、リングを大きくできない。大きくできないと言うよりは、リングを非常に小さいものにしなければならない。リングを小さくすればするほど、スライド棒の突部も当然のこととして小さくならざるを得ないので、この突部をつまんでリングの切欠き部を開閉することはかなり難しい作業になる。特に、切欠き部を開閉するスライド棒には、バネ力を作用させているので、上記突部をしっかりつまんで、かなりの力を作用させなければならない。したがって、それだけ作業が一層難しくなる。
【０００７】
また、このリングを首の後に位置させたまま、上記切欠き部を開閉しようとすると、それを目視できないので、その作業がさらに難しくなるし、外出間際のときなどは、時間もなく、気持ちがせいているので、なおさら難しくなる。
この発明の目的は、簡単に開閉できる止め金具を提供することである。
【０００８】
【課題を解決するための手段】
第１の発明は、真珠などの多数の飾り部材を連ねた連タイプのネックレスにおける一方の端部に接続したネックレスの止め金具において、上記止め金具は、支点を中心に回動自在にした一対の回動部材と、これら両回動部材間に設けたスプリングとを備え、上記両回動部材の一端には円弧状部を設け、上記スプリングのバネ力の作用で、両円弧状部の先端部分が接触した状態においてそれら両円弧状部が相まってリングを構成するとともに、これらいずれか一方の回動部材を、ネックレスに直接または間接に連結してなることを特徴とする。
【０００９】
第２の発明は、第１の発明において、いずれか一方の回動部材に設けた円弧状部の円弧長さを、他方の回動部材に設けた円弧状部の円弧長さよりも長くし、これら円弧状部が接触したとき、その接触部が両円弧状部の折半位置からずれる構成にしたことを特徴とする。
第３の発明は、第１または第２の発明において、いずれか一方の回動部材に設けた円弧状部の先端部分の内周側に突起部を設けたことを特徴とする。
【００１０】
【発明の実施の形態】
図１〜図３に、この発明の実施例を示す。図１に示したネックレス１は、真珠等の多数の飾り部材２をワイヤー３で連ねた連タイプのネックレスである。
上記ネックレス１の一端には、止め輪４で止め、その一端から飾り部材２がワイヤー３から外れないようにしている。またワイヤー３の他端には、孔付きの金具５を設け、この金具５で飾り部材２がワイヤー３から外れないようにしている。
上記のようにした孔付きの金具５には装飾体６を連結するとともに、この装飾体６にこの発明の止め金具７を取り付けている。
【００１１】
上記止め金具７は、図２に示すように、一対の回動部材８、９を、支点１０を中心に回動自在にしているが、一方の回動部材８を上記した装飾体６に固定している。そして、これら回動部材８、９には、円弧状部１１、１２を一体的に設け、これら円弧状部１１、１２の先端部分を接触させることによって、円弧状部１１、１２が相まってリングを構成するようにしている。ただし、これら円弧状部１１、１２のうち、図２に示すように、一方の円弧状部１１の円弧長さを、他方の円弧状部１２の円弧長さよりも長くしている。このように円弧状部１１の円弧長さを長くすることによって、それら円弧状部１１、１２の先端部分の接触箇所が、両円弧状部の折半位置からずらされることになる。
【００１２】
上記のように円弧状部１１、１２の長さを相違させて、円弧状部１１、１２の先端部分の接触箇所を、両円弧状部の折半位置からずらしたので、これら円弧状部１１、１２に通したワイヤー３が一方の円弧状部１１側に引っ掛かり、当該ワイヤー３が、円弧状部が相まって形成するリングから抜けたりしなくなる。もし、両円弧状部１１、１２の折半位置に接触部分が位置すれば、その接触部分にワイヤー３がかみ込み、そこから簡単に外れてしまう危険がある。しかし、上記のようにその接触部分を折半位置からずらすことによって、ワイヤー３が簡単にはずれるのを防止できる。
【００１３】
上記のようにした一対の回動部材８、９は、それらの間に図示していないスプリングを設け、このスプリングのバネ力によって、通常は、両円弧状部１１、１２の先端部分が接触するようにしている。
さらに、上記回動部材８であって、上記円弧状部１１とは反対端に傾斜部８ａを設けるとともに、回動部材９の円弧状部１２とは反対側の端部９ａを、上記傾斜部８ａに対向させている。したがって、この端部９ａを傾斜部８ａ側に押し付けるようにすれば、回動部材８、９は、前記したスプリングのバネ力に抗して回動し、円弧状部１１、１２の先端接触部分を開くことになる。
なお、両円弧状部１１、１２が相まって形成するリングは、それが環状であれば、必ずしも真円に限定されない。ただし、飾り部材２の大きさよりも小さい内径を持っていることが必要である。
【００１４】
止め金具７の回動部材８に取りつける装飾体６は、ネックレス１の着脱の際に、指で押さえやすいことが必要である。そのためには、表面が滑りやすかったり、尖った部分がなかったりすることが理想的である。
【００１５】
このような装飾体が付いている止め金具は、それを体の正面に持ってきてペンダントトップとして使ってもよい。このようにペンダントトップとして使えば、止め金具が首の後ろ側にくる場合とは、違った雰囲気をかもし出す。つまり、この実施例の止め金具によって、着脱の容易さだけでなく、１個のネックレスで、複数の形態を楽しむことができる。
【００１６】
次にこの止め金具７の使用方法を説明する。
上記止め金具７を、連ネックレス１に掛けたり外したりする際には、回動部材８、９の端部を指で挟んで回動部材９を図２の矢印Ａ方向へ回動させる。回動部材９の後端部が矢印Ａ方向へ回動すれば、回動部材９に設けた円弧状部分１２が矢印Ｂ方向へ回動し、先端の円弧状部１１、１２が相まって形成したリングを開くことになる。このようにリングが開けば、その開いた部分から、任意の飾り部材２間のワイヤー３を出し入れすることができる。
【００１７】
上記リングを、任意の飾り部材２間のワイヤー３に掛けることによって、図３（１）に示すように、連を環状にすることができる。したがって、ネックレス１の長さを使用者の首回りに合わせて、自由に調節ができる。なお、図３（２）に、任意の飾り部材２間のワイヤー３に止め金具７を掛けたときの拡大図を示す。
【００１８】
このように、回動部材８、９の後端を指で挟むだけで、先端のリング状の部分に開口を作ることができるので、飾り部材２間にリングを簡単に掛けることができる。したがって、連ネックレスを簡単に着脱できる。
【００１９】
なお、上記回動部材９を回動させたときのリング部分の開口は、大きいほど連ネックレス１の出し入れが容易になる。そして、上記開口の大きさは、円弧状部分１２の先端の回動量に依存する。この先端の回動量は、回動部材９の後端が支点部を中心として回動するときの中心角が大きいほど、大きくなる。そこで、回動部材８の後端に傾斜部８ａを形成し、回動部材９の後端が、必要な量だけ回動できるようにしている。
【００２０】
この止め金具７の実施形態は、種々の変更が可能である。例えば、図４に示す実施形態では、回動部材８に設けた円弧状部１１の先端部分の内周側に小さい突起部１３を設けている。このような突起部があると、止め金具７を連ネックレス１に掛けたときに、ストッパーの役割を果たし、ワイヤー３が抜け難くなる。なお、突起部１３は、回動部材９に設けた円弧状部１２の先端部分の内周側に設けてもよい。
【００２１】
【発明の効果】
第１の発明によれば、連タイプのネックレスの着脱が簡単になる。
第２、第３の発明によれば、一対の円弧状部が相まって形成するリングから、ワイヤーなどが簡単に抜けなくなる。
【図面の簡単な説明】
【図１】実施例の止め金具を他端につけたネックレスを示した図である。
【図２】実施例の止め金具を示した図である。
【図３】（１）は、実施例の止め金具を用いてネックレスを接続し、環状にした様子を示した図であり、（２）は、止め金具の部分を拡大した図である。
【図４】止め金具先端部のその他の例を示した図である。
【符号の説明】
１　　　ネックレス
２　　　飾り部材
７　　　止め金具
８　　　回動部材
９　　　回動部材
１０　　軸（支点部）
１１　　回動部材先端の円弧状部
１２　　回動部材先端の円弧状部
１３　　突起部
【図１】
2004113705.tif 000003
【図２】
2004113705.tif 000004
【図３】
2004113705.tif 000005
【図４】
2004113705.tif 000006